(57)【要約】【課題】表示装置の照明を複数に分割して制御することで、省電力な調律装置を提供する。【解決手段】調律装置は、スイッチ１や楽音入力手段１０からの入力により、入力音の音名やセント偏差を抽出し、表示手段６に表示する。表示手段６の表示内容が変更されるときに照明の点灯や消灯を制御するための照明制御手段７により、照明の点灯箇所を独立して制御することで、省電力化を図る。【選択図】図１
2008203480.tif 000002
【特許請求の範囲】
【請求項１】
外部入力信号を入力するための外部入力手段と、
前記外部入力手段の内容に基づいて表示内容を表示する１つ以上の表示手段と,
前記表示手段の表示内容に基づいて変化する複数の照明手段と、
前記外部入力手段から入力された外部入力信号をトリガとして前記照明手段を点灯させ、一定時間経過後に消灯するように制御する照明制御手段と、
を備えた調律装置であって、
前記表示手段は複数の表示内容を表示し、前記照明制御手段は外部入力信号の種類によって、複数の前記照明手段の中で特定の照明手段のみが点灯するように個々の前記照明手段を独立に制御できることを特徴とする調律装置。
【請求項２】
前記外部入力手段は、スイッチ、マイク、またはインプットジャックであることを特徴とする請求項１に記載の調律装置。
【請求項３】
前記照明制御手段は、一つの照明手段を点灯するトリガとして複数の外部入力信号を用いる場合、最後に入力された外部入力信号の入力時刻から一定の時間経過後に消灯するように制御することを特徴とする請求項１に記載の調律装置。
【請求項４】
前記照明制御手段は、消灯時刻を決定する前記外部入力信号の入力からの経過時間を前記照明手段ごとに制御できることを特徴とする請求項３に記載の調律装置。
【請求項５】
前記照明制御手段は、前記外部入力信号に基づいて、個々の前記照明手段を他の照明手段から独立して制御することを特徴とする請求項４に記載の調律装置。
【請求項６】
前記照明制御手段は、前記外部入力信号に調律可能な特定の周波数範囲の楽音が入力されたときのみ前記照明手段を点灯するように制御することを特徴とする請求項２に記載の調律装置。
【請求項７】
前記周波数範囲は、任意の範囲の値に設定可能なことを特徴とする請求項６に記載の調律装置。
【発明の詳細な説明】
【技術分野】
【０００１】
本発明は楽器の音を調律する場合に用いる調律装置に関する。
【背景技術】
【０００２】
調律装置の機能としては、スイッチ入力によって基準ピッチや調律音名などのパラメータを設定する場合と、楽音の入力に対しセント偏差や抽出音名を表示する場合がある。
【０００３】
表示部の照明装置の省電力化を図る方法としては、調律器に楽音やスイッチ等の外部入力があったときに照明装置を点灯させ、一定時間経過して待機状態に移行すると照明装置を消灯させる方法が知られている。
【特許文献１】特開２０００−２４３１３１号公報
【発明の開示】
【発明が解決しようとする課題】
【０００４】
従来の調律装置は、どのような外部入力に対しても全ての表示部に対し一様に照明を点灯させるため、その外部入力によって変更される箇所以外の場所も照らすことになり、電力を無駄に消費するという問題があった。
【０００５】
本発明は、表示部の照明を複数用意して照明範囲を分割し、外部入力の種類によって照明の点灯箇所を変えることにより、ユーザに必要な情報の視認性を保ちつつ、省電力化な調律装置を提供することを目的とする。
【課題を解決するための手段】
【０００６】
上記課題を解決するため、本発明は、外部入力信号を入力するための外部入力手段と、前記外部入力手段の内容に基づいて表示内容を表示する１つ以上の表示手段と、前記表示手段の表示内容に基づいて変化する複数の照明手段と、前記外部入力手段から入力された外部入力信号をトリガとして前記照明手段を点灯させ、一定時間経過後に消灯するように制御する照明制御手段と、を備えた調律装置であって、前記表示手段は複数の表示内容を表示し、前記照明制御手段は外部入力信号の種類によって、複数の前記照明手段の中で特定の照明手段のみが点灯するように個々の前記照明手段を独立に制御できることを特徴とする調律装置とする。
【０００７】
また本発明は、上述の調律装置において、前記外部入力手段は、スイッチ、マイク、またはインプットジャックであることを特徴とする。
【０００８】
また本発明は、上述の調律装置において、前記照明制御手段は、一つの照明手段を点灯するトリガとして複数の外部入力信号を用いる場合、最後に入力された外部入力信号の入力時刻から一定の時間経過後に消灯するように制御することを特徴とする。
【０００９】
また本発明は、上述の調律装置において、前記照明制御手段は、消灯時刻を決定する前記外部入力信号の入力からの経過時間を前記照明手段ごとに制御できることを特徴とする。
【００１０】
また本発明は、上述の調律装置において、前記照明制御手段は、前記外部入力信号に基づいて、個々の前記照明手段を他の照明手段から独立して制御することを特徴とする。
【００１１】
また本発明は、上述の調律装置において、前記照明制御手段は、前記外部入力信号に調律可能な特定の周波数範囲の楽音が入力されたときのみ前記照明手段を点灯するように制御することを特徴とする。
【００１２】
また本発明は、上述の調律装置において、前記周波数範囲は、任意の範囲の値に設定可能なことを特徴とする。
【発明の効果】
【００１３】
本発明によれば、スイッチや楽音等の外部入力信号の種類、さらには楽音の周波数範囲によって照明範囲を変えることで、必要なタイミングで必要な箇所のみ点灯させることで調律装置を省電力化することができる。
【発明を実施するための最良の形態】
【００１４】
以下、本発明の情報表示装置における好適な実施の形態について、図１から図５を参照して詳細に説明する。
（第１の実施形態）
図１は、調律装置の概略構成を示すブロック図である。図１に示すように調律装置は、調律する際に引用するパラメータの変更等を行う複数のスイッチ１、入力信号の調律処理やバックライトの点灯処理等を主に行うマイコン２、マイコン２内でスイッチ１からの入力の有無を判定するスイッチ入力判定手段３、スイッチ入力判定手段によってスイッチの入力がありと判定されたときにパラメータ変更等の処理を行う設定処理手段４、楽音等の信号を増幅し、矩形波として入力するための楽音入力手段１０、マイコン２内で楽音の入力を検知する楽音信号判定手段１１、楽音が入力されたと判定された後に、設定処理手段４の設定値に基づいて入力音の音名やセント偏差を抽出する調律手段１２、設定処理手段４の設定値や調律手段１１で求められた音名、セント偏差等の表示を制御するための表示制御手段５、実際に表示を行うための複数の表示手段６、表示制御手段５で表示手段６の表示内容が変更されるときに照明の点灯や消灯を制御するための照明制御手段７、照明の消灯タイミングの設定に関わるタイマ８、表示手段の表示内容の視認性を向上するための複数の照明手段９で構成されている。
【００１５】
まず、複数のスイッチ１の入力により、複数の照明手段９を制御する場合の動作について説明する。調律のパラメータを変更するためスイッチ１を押すと、スイッチ入力判定手段３によってスイッチ入力があったことを検知し、どのスイッチが入力されたかを判定する。次に、設定処理手段４で、入力されたスイッチの種類に対応するパラメータの値の変更、格納処理を行う。パラメータの変更があると、表示内容もそれに伴い変更する。この表示手段６の表示内容変更処理は、設定処理手段４の内容を受け表示制御手段５で行われる。
【００１６】
また同時に、スイッチ入力によって表示手段に付属する照明を点灯させる処理を行うのが照明制御手段７である。照明制御手段７では、変更されたパラメータによってどの照明手段９を点灯させるかを判断し、照明手段９を制御する。更に、点灯させた照明手段の消灯タイミングを計るため、タイマ８に、点灯させた照明手段ごとのタイマ値をセットしてカウントダウン処理も行う。このようにしてスイッチ１を押すことによって表示手段６の表示内容変更と照明手段９の照明点灯処理を行う。
【００１７】
その後、楽音入力手段１０から楽音が入力されると、楽音信号判定手段１１で楽音の入力を検知する。検知された楽音の信号は調律手段１２によって音名、セント偏差を抽出する。このとき、設定処理手段４で設定されたパラメータが調律処理に使用される。こうして判定された音名、セント偏差は表示制御手段５に送られ、それぞれの表示部で正しく表示されるよう処理が行われる。同時に、音名、セント偏差が抽出されたという情報を照明手段７に送ると、照明制御手段７によって音名、セント偏差の表示に関わる照明の点灯、消灯の処理を行う。スイッチ入力時の処理と同様に、点灯させる照明手段の選択、および消灯させるためのタイマの設定を行う。このようにして、楽音の入力があったときに、音名、セント偏差が抽出されることで表示手段６への表示処理と照明手段９の照明点灯処理を行う。
【００１８】
もしタイマ８にある照明手段９の消灯に関わるタイマ値が設定されていてカウントダウンを行っていたときに、新たなスイッチ入力や楽音の入力があり、その新たな入力によって点灯中の照明手段をまた点灯状態にすることになった場合は、カウントダウン中のタイマ値をリセットして、最後に入力された入力信号からのカウントダウンで消灯タイミングを決定させる。このとき、同じ照明手段の点灯でも、入力内容によってセットするタイマ値を変更することも可能である。
【００１９】
図２は調律装置の実施形態の一例の正面図である。本体ケース１３には、電源スイッチ１４、液晶ディスプレイ１５、メータ１６、ピッチ設定スイッチ１７、マイク１８、インプットジャック１９、ピッチ部照明２０、音名部照明２１、セント偏差部照明２２を配置する。
【００２０】
図３は調律装置の処理の流れを示すフローチャートである。ピッチ設定スイッチ１７にて基準ピッチの設定を行う（ステップＳ３０１）と、液晶ディスプレイ１５のピッチ表示部分の値が設定値に変更される（ステップＳ３０２）。このとき、図１の照明制御手段７にてピッチ部照明２０を点灯させる制御（ステップＳ３０３）が行われるため、ピッチ部照明２０が点灯する。また、タイマ９に規定のタイマ値を設定（ステップＳ３０４）し、カウントダウン処理を行う。次に、マイク１８またはインプットジャック１９に接続したラインから楽音信号が入力され（ステップＳ３０５）、音名とセント偏差が抽出されると（ステップＳ３０６）、液晶ディスプレイ１５の音名表示部分に音名が、メータ１６でセント偏差が表示される（ステップＳ３０７）。このとき、図１の照明制御手段７ではピッチ部照明２０、音名部照明２１、セント偏差部照明２２の全てを点灯させるような制御が行われ（ステップＳ３０８）、全ての照明が点灯状態となる。同時に、タイマ９には音名部照明２１、セント偏差部照明２２の消灯タイミングを決定するためのタイマ値を設定する（ステップＳ３０９）が、例えばピッチ部照明は短時間で良いとした場合、ピッチ部照明とその他の照明のタイマ値は独立して設定してもよい。
【００２１】
照明の消灯処理は、ピッチ部のタイマ値が０になったかを判断し（ステップＳ３１０）、ピッチ部照明２０を消灯させる（ステップＳ３１１）。音名部のタイマ値も０になったかを判断し（ステップＳ３１２）、音名部照明２１を消灯させる（ステップＳ３１３）。同様にセント偏差部のタイマ値も０になったかを判断し（ステップＳ３１４）、セント偏差部照明２２を消灯させる（ステップＳ３１５）。楽音の入力が終了した後、音名、セント偏差が表示中、すなわち全ての照明が点灯中にピッチ設定スイッチ１７からの入力があった場合は、全ての照明のタイマは点灯開始からカウントダウンを行っているため、最初のタイマ値から減った値となっているが、消灯タイミングの決定はあとから入力された外部入力が優先となる。スイッチの入力によって点灯するピッチ部照明２０だけは、タイマ値を初期値に設定し直す。これによって、音名部照明２１、セント偏差部照明２２は楽音入力終了から一定時間の経過で消灯するが、ピッチ部照明２０だけはピッチ設定スイッチ１７の２回目の入力から一定時間の経過で消灯となる。
（第２の実施形態）
次に本発明に関わる調律装置の別の実施形態の一例について説明する。
【００２２】
調律装置の概略構成を示すブロック図は第1の実施形態と同様である。
【００２３】
図４は調律装置の正面図である。本体ケース２３には、電源スイッチ２４、液晶ディスプレイ２５、メータ２６、調律モード設定スイッチ２７、マイク２８、インプットジャック２９、液晶部照明３０、セント偏差部照明３１を配置する。
【００２４】
図５は調律装置の処理の流れを示すフローチャートである。調律モード設定スイッチ２７にて調律モードの設定を行う。調律モードとはここでは調律する楽器を選択するモードを指す。例えば、ギターモードの場合は、一般的なギターの発音する周波数帯域である８２．４〜６５９．３Ｈｚまでを有効調律範囲と限定し、この範囲内の楽音が入力されたときのみ照明を行う、と設定する。調律モード設定スイッチ２７の入力（ステップＳ５０１）によって液晶ディスプレイ２５のモード表示部分の表示内容変更が行われるため（ステップＳ５０２）、それに伴い液晶部照明３０が点灯し（ステップＳ５０２）、タイマ値がセットされる（ステップＳ５０３）。
【００２５】
次に、マイク２８またはインプットジャック２９に接続したラインから楽音信号が入力されると（ステップＳ５０４）、音名とセント偏差が抽出され（ステップＳ５０５）、図１の表示制御手段５によって液晶ディスプレイ２５に音名を、メータ２６にセント偏差を表示する（ステップＳ５０６）。抽出された音名、セント偏差が設定された調律範囲内かを確認し（ステップＳ５０７）、調律範囲内でなかった場合は照明制御手段７には点灯制御の指示を行わないため、照明は点灯しない。
【００２６】
一方、音名とセント偏差が調律範囲内であった場合は、照明制御手段７に点灯制御の指示が行われるため、照明制御手段７によって液晶部照明３０およびセント偏差部照明３１の点灯を行い（ステップＳ５０８）、タイマ値の設定（ステップＳ５０９）を行う。タイマのカウントダウン処理によって、液晶部のタイマ値が０になったかを判断し（ステップＳ５１０）、液晶部照明３０を消灯させる（ステップＳ５１１）。同様にセント偏差部のタイマ値も０になったかを判断し（ステップＳ５１２）、セント偏差部照明３１を消灯させる（ステップＳ５１３）。
【００２７】
上記２つの実施例のように、必要な場所だけの照明点灯、および必要な時間だけの照明点灯時間を細かく設定することで、無駄な照明の点灯を防ぎ、調律器の省電力化を図ることが可能である。
【図面の簡単な説明】
【００２８】
【図１】調律装置の概略構成を示すブロック図である。
【図２】調律装置の外観構成を示した図である。
【図３】調律装置の処理の流れを示したフローチャートである。
【図４】第２の実施形態の調律装置の外観構成を示した図である。
【図５】第２の実施形態の調律装置の処理の流れを示したフローチャートである。
【符号の説明】
【００２９】
１…スイッチ、２…マイコン、３…スイッチ入力判定手段、４…設定処理手段、５…表示制御手段、６…表示手段、７…照明制御手段、８…タイマ、９…照明手段、１０…楽音入力手段、１１…楽音信号判定手段、１２…調律手段、１３、２３…本体ケース、１４、２４…電源スイッチ、１５、２５…液晶ディスプレイ、１６、２６…メータ、１７…ピッチ設定スイッチ、１８、２８…マイク、１９、２９…インプットジャック、２０…ピッチ部照明、２１…音名部照明、２２、３１…セント偏差部照明、２７…調律モード設定スイッチ、３０…液晶部照明
【図１】
2008203480.tif 000003
【図２】
2008203480.tif 000004
【図３】
2008203480.tif 000005
【図４】
2008203480.tif 000006
【図５】
2008203480.tif 000007